(57)【要約】      （修正有）【課題】資源の節約になり、森林保護にもなる、腐らなくて強度の大きい木製の人工島を提供する。【解決手段】間伐材の比較的細い角材で、断面正６角形の筒体４を作成し、更に、前記筒体の角部内側は異なる寸法の角材の組合せからなる組合せ補強体で補強されていることが好ましい。前記筒体を多数接合させてハニカム状の浮体１を形成し、この浮体１を海中に浸漬してその上に建造物を設置して人間が生活できる空間を形成した人工島であり、腐らなくて浮力が大きく組合せが簡単にできる。【選択図】図２
2011162017.tif 000002
【特許請求の範囲】
【請求項１】
断面正六角形の筒体を横方向に多数接合させたハニカム状の浮体を木材で形成し、前記浮体を水中に沈め、その上に建造物を設置し、前記筒体を多数の角材を組合せてなる人工島。
【請求項２】
前記筒体の角部内側は異なる寸法の角材の組合せからなる組合せ補強体で補強されている請求項１記載の人工島。
【請求項３】
前記筒体の軸方向を水平方向に横臥せしめるようにして接合して浮体とし、その上に同一形状の筒体を載せて建造物とした請求項１記載の人工島。
【請求項４】
前記筒体の上下には蓋体で閉塞され、この蓋体は外側角材と内側角材とで二重に形成され、前記外側角材と内側角材の角材の配置方向が直交している請求項１記載の人工島。
【発明の詳細な説明】
【技術分野】
【０００１】
本発明は、木材の浮体で作られ、海又は湖等の水中に浮かぶ人工島に関する。
【背景技術】
【０００２】
海上に浮かぶ人工島として関西国際空港等の飛行場が挙げられ、これは邪魔な建築物が周囲になく平らであり航空機の離着陸には便利である。一般に人工島は、鉄の浮体を作り、その上に建造物を設置している。また、植物栽培用人工島も存在する。
【先行技術文献】
【特許文献】
【０００３】
【特許文献１】ＷＯ９６／０９７５４
【発明の概要】
【発明が解決しようとする課題】
【０００４】
ところが、従来の人工島は鉄製であるため海水に対して腐食し易く弱いばかりでなく、多量の鉄を使用しなければならず、資源の節約という点でも問題がある。
【課題を解決するための手段】
【０００５】
そこで、本発明の人工島は断面正六角形の筒体を横方向に多数接合させたハニカム状の浮体を木材で形成し、前記浮体を水平に沈め、その上に建造物を設置し、前記筒体を多数の角材を組合せてなる。
【０００６】
更に、前記筒体の角部内側は異なる寸法の角材の組合せからなる組合せ補強体で補強されていることが好ましく、前記筒体の軸方向を水平方向に横臥せしめるようにして接合して浮体とし、その上に同一形状の筒体を載せて建造物とすることも可能であり、前記筒体の上下には蓋体で閉塞され、この蓋体は外側角材と内側角材とで二重に形成され、前記外側角材と内側角材の角材のに配置方向が直交させることが好ましい。
【発明の効果】
【０００７】
浮体はハニカム状であり、強度的にも大であり、組立ても容易である。しかも、木材で形成され、木材は水中（海中）に沈めておけば腐ることもなく、しかも現在世界中で問題となっている間伐材の利用も可能である。
【０００８】
本発明においては、間伐材でも多数の角材の組合せで筒体が形成できるので森林の保護にもなる。
【０００９】
しかも、正６角形の角部内側を補強すれば、強度的にも保証される。また、正６角形の筒体は建造物にも利用でき全体として木材の人工島となり軽い建造物となる。また、筒体の上下の蓋体を二重として、その角材の配置方向を外側と内側とで直交させれば強度が大となる。
【図面の簡単な説明】
【００１０】
【図１】本発明の人工島が海上に浮いている状態を示す状態図である。
【図２】浮体の正面図である。
【図３】筒体の本体の平面図である。
【図４】筒体の補強材の配置を示す筒体の平面図である。
【図５】図４のａ−ａ断面図である。
【図６】図４のｂ−ｂ断面図である。
【図７】蓋体の外側平面図である。
【図８】蓋体の内側平面図である。
【図９】筒体を内側から見た筒体の側面図である。
【図１０】筒体の角部の補強体を示す上面図である。
【図１１】図１０の補強体の第１角材の平面図である。
【図１２】図１０の補強体の第２角材の平面図である。
【図１３】図１０の補強体の第３角材の平面図である。
【図１４】図１０の補強体の第４角材の平面図である。
【図１５】筒体を構造物に利用した場合の人工島の概略斜視図である。
【発明を実施するための形態】
【００１１】
次に、本発明の実施形態について説明する。
【００１２】
図１において、本発明の人工島Ｉは間伐材等の比較的細い角材を張り付けて形成した正６角形の筒体をハニカム状に形成した大容量の浮体１からなり、この浮体１は海又は湖等の水中に沈漬されている。この浮体１の上面周囲には、防水壁２が載置されて海水の浸入を防止し、防水壁２の中において前記浮体１上には、構造物３、３…３が載置されている。前記浮体１は図２に示すように正６角形の筒体４をハニカム状にその軸方向を上下に取り、横方向に多数接合したものであり、人工島とするためには、何万、何十万という筒体４を接合する必要がある。
【００１３】
前記筒体４は、全て細長い角材からなり、筒体４の各辺をなす側壁は、水平方向に伸びる辺材５、５…５を上下に積層せしめて形成されその内側は、縦方向に配設された縦材６、６…６で形成され、特に正６角形の角部の内側は寸法の異なる４種類の角材からなる補強体７、７…７で補強される。また、筒体４内には図４〜６に示すように、筒体４の上下の蓋体８、９を支持するための第１の水平支持梁１０、１０…１０と、第２の水平支持梁１１、１１…１１と、第３の水平梁１２、１２…１２と、第３の水平支持梁１２の横方向中心部を上下に支える垂直支持梁１２ａ、１２ａと、斜めに伸びる斜梁１２ｂ、１２ｂが配設されている。
【００１４】
前記蓋体８、９は同一形状であり、蓋体の外側は図７に示すように、正６角形の６辺をなす辺材８ａ、8ａ…８ａとその辺材８ａ間に一方向伸びる角材８ｂ、8ｂ…８ｂとからなり、その内側には図８に示すように前記外側の角材と直交方向に角材８ｃ、8ｃ…８ｃが外側の角材８ｂに張り付けられ、蓋体８、９の外側と内側とでは、段差Ｓ、Ｓ…Ｓが形成され、この段差Ｓが筒体４の上下端周囲を受入れるようになっている。
【００１５】
なお、筒体４の周囲壁は互いに貫抜材１３、１３…１３で接合される（図９）。前記筒体４の角部内側の補強体７は、図１０〜１４に示すように寸法の異なる４種類の角材からなり、これらは角部Ｃに接着される楔形の第１角材１４と、第１角材に隣接する矩形の第２角材１５と、第２角材１５に隣接する第２角材１５より正方形に近い第３角材１６と、これに隣接する正方形の第４角材１７とからなり、角材Ｃがこれら角材の配設により補強される。
【００１６】
図１に示す浮体１は、筒体４を垂直方向に立てたものを多数横方向に接合したものであるが、図１５に示すように、浮体２０を筒体４の軸方向を水平方向にして横方向に接合したものを海中に侵漬せしめた上に筒体４を水平方向に載置せしめ筒体４を建造物として利用することも可能である。なお、上下に配置された筒体４の前後左右には通路２１、２１…２１が設けられている。
【産業上の利用可能性】
【００１７】
比較的細い角材を利用できるので、間伐材が使用でき、林業にも寄与でき温暖化による海中に沈む南太平洋の島々の人々に住む場所を与えることができる。  
【符号の説明】
【００１８】
Ｉ…人工島
１…浮体
４…筒体
５…辺材
６…縦材
７…補強体
８、９…蓋体
２０…浮体
【図１】
2011162017.tif 000003
【図２】
2011162017.tif 000004
【図３】
2011162017.tif 000005
【図４】
2011162017.tif 000006
【図５】
2011162017.tif 000007
【図６】
2011162017.tif 000008
【図７】
2011162017.tif 000009
【図８】
2011162017.tif 000010
【図９】
2011162017.tif 000011
【図１０】
2011162017.tif 000012
【図１１】
2011162017.tif 000013
【図１２】
2011162017.tif 000014
【図１３】
2011162017.tif 000015
【図１４】
2011162017.tif 000016
【図１５】
2011162017.tif 000017